(57)【要約】      （修正有）【課題】乳幼児の行動を制限することなく使用でき、着脱が容易で低コストで製造できるようにする。【解決手段】よだれかけ本体部分１と本体紐部分３を切り離し、着脱できるようにすることで、よだれかけ本体部分１のみの交換ができ、乳幼児が寝ている際にも交換が容易にでき、本体紐部分をたすきがけにすることで、乳幼児の活発な行動にもずれをおこすことなく利用できるようにした。又、本体部分と本体紐部分を切り離したことにより、構造が至って簡単になることから製造工程も少なく、安価に製造できて経済的である。【選択図】図３
0003132218.tif 000002
【実用新案登録請求の範囲】
【請求項１】
スナップボタンを用いた着脱可能な本体は、乳幼児の行動を制限することなく体にフィットし、乳幼児が寝ている場合でも起こすことなく、寝ている状態で容易に交換できることを特徴する。
【請求項２】
本体の紐部分に、スナップボタンを増やすことによる収縮を可能とした形状をとることで、乳幼児の成長に適応でき、経済的な負担を軽減できることを特徴とする請求項１、請求項１記載の着脱式たすき型よだれかけ。
【請求項３】
本体の着脱部分をスナップボタンとしたことで、薄手のペーパー類を挟み込むことができ、乳幼児の食事の際に、よだれかけを汚すことなく、衛生的で洗濯の手間を軽減することを特徴とする請求項１、請求項２記載の着脱式たすきがけ型よだれかけ。
【請求項４】
よだれかけ本体と紐部分を着脱式にした本体は、よだれかけ本体部分の交換ができることで、従来のたすがけ型のよだれかけより、製造時のコストを軽減することができ、経済的であることを特徴とする請求項１、請求項２、請求項３記載の着脱式たすき型よだれかけ。
【考案の詳細な説明】
【考案の詳細な説明】
【産業上の利用分野】
【０００１】本考案は、乳幼児用よだれかけの交換容易かつ衛生的、経済的な着脱式たすき型よだれかけに関するものである。
【背景技術】
【０００２】従来、よだれかけは乳幼児の動きにより、ずれが生じやすい形状であり、通常のたすきがけ型よだれかけでは寝ている乳幼児に対して体を起こして交換する必要があり、成長過程にあわせ購入する必要もあった。また、よだれかけに対するたすきがけの形状では、たすきがけ紐部分のコストが多くかかり、通常のよだれかけより高価であった。
又、食事の際には衣服への汚れを軽減するため、別途乳児用エプロンを用意する必要があり、乳幼児に対する交換による負担や、洗濯などの負担があった。
【考案が解決しようとする課題】
【０００３】そこで、この考案は、前記、従来の欠点を解消するように、着脱式たすきがけ型にすることで、ずれを軽減し、衣類を汚さず、食事時や睡眠時などの着脱、交換が容易で、成長過程にあわせ使用でき、本体前掛け部分とたすきがけ紐部分を着脱可能にすることで、経済的なよだれかけの提供を目的としたものである。
【課題を解決するための手段】
【０００４】すなわち、本考案は、上記目的を達成するため、よだれかけの紐部分（３）と表面部（１）を取り外し可能な形状で、結着部（２）をスナップボタンとし、本体紐部分（３）をたすきがけで、装着できるよだれかけである。
又、結着部（２）をスナップボタンにすることで、薄手のペーパーを容易に挟み込むことができるよだれかけである。
又、本体紐部分（３）に結着部（２）のスナップボタンを増やすことで収縮性を持たせることにより、成長過程に合わせて利用することができるよだれかけである。
又、よだれかけの本体紐部分（３）と本体部分（１）を取り外し可能にすることで、よだれかけ部分のみを交換できる経済的なよだれかけである。
【作用】
【０００５】この考案は、上記手段を講じたので、常に活発に動く乳幼児であっても、よだれかけがずれることがなく、衣服をよごすことなく衛生的であり、着脱も結着部（２）の着脱だけで容易である。
又、結着部（２）が着脱できることで、寝ている乳幼児に容易に着装でき、結着部（２）のスナップボタンには薄手のペーパーを挟み込むことができることで、よだれかけを汚すことなく、食事の際などに汚れたペーパーを捨てるだけですみ、衛生的である。
又、本体紐部分（３）１組に対し、複数のよだれかけ本体部分（１）で利用することができ、経済的である。
【実施例】
【０００６】以下、図面に示す実施例について更に詳細に説明する。【０００７】図１は、本考案の第一実施例を示すもので、本体（１）は、前掛け部分として形成し、本体紐（３）は、たすきがけ可能としたやわらかい素材にした物とする。結着部（２）は、スナップボタンを使用し、取り外しが簡単なものとする。
【考案の効果】
【０００８】以上詳細に説明したように、本考案の着脱式たすき型よだれかけによれば、乳幼児の体にフィットし、ずれをたすきがけにすることで軽減させ、よだれを肌や衣服に付着させず、清潔である。
又結着部（２）のスナップボタンの着脱により、着装は容易である。
又上部２箇所のスナップボタンへ、薄手のペーパー類を挟みこむことで、食事の時に使用すれば、前が広ければ食べこぼしても衣類を汚さない、時には口を拭くことも出来て便利である。
又よだれかけ本体部分（１）と本体紐部分（３）が切り離されていることで、よだれかけ本体部分（１）を複数枚用意すればよく、従来のたすきがけよだれかけより安価に製造できる。更に全体の構造が至って簡単であることから製造工程も少なく、安価に製造できて経済的である等の効果がある。
【図面の簡単な説明】
【図１】本考案の第一実施例を示す正面図である
【図２】本考案の第一実施例を示す平面図である
【図３】本考案の第一実施例を示す平面図である
【符号の説明】
１  本体よだけかけ部
２  結着部
３  本体紐部
【図１】
0003132218.tif 000003
【図２】
0003132218.tif 000004
【図３】
0003132218.tif 000005
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
前掛け部分としての本体と、この本体の四隅に設けられた結着部としてのスナップボタンと、前記本体の結着部としてのスナップボタンに対して、着脱可能なスナップボタンが両端に設けられ、たすきがけにする１組の本体紐と、を有することを特徴とする着脱式たすき型よだれかけ。
【請求項２】
前記本体紐に設けられる前記スナップボタンの数を増やし、収縮性を持たせ乳幼児の成長過程にあわせて利用できることを特徴とする請求項１に記載の着脱式たすき型よだれかけ。
【手続補正２】
【補正対象書類名】明細書
【補正対象項目名】全文
【補正方法】変更
【補正の内容】
【考案の詳細な説明】
【技術分野】
【０００１】
本考案は、乳幼児用よだれかけの交換容易かつ衛生的、経済的な着脱式たすき型よだれかけに関するものである。
【背景技術】
【０００２】
従来、よだれかけは乳幼児の動きにより、ずれが生じやすい形状であり、通常のたすきがけ型よだれかけでは寝ている乳幼児に対して体を起こして交換する必要があり、成長過程にあわせ購入する必要もあった。また、よだれかけに対するたすきがけの形状では、たすきがけ紐部分のコストが多くかかり、通常のよだれかけより高価であった。
又、食事の際には衣服への汚れを軽減するため、別途乳児用エプロンを用意する必要があり、乳幼児に対する交換による負担や、洗濯などの負担があった。
【考案の開示】
【考案が解決しようとする課題】
【０００３】
そこで、この考案は、前記、従来の欠点を解消するように、着脱式たすきがけ型にすることで、ずれを軽減し、衣類を汚さず、食事時や睡眠時などの着脱、交換が容易で、成長過程にあわせ使用でき、本体前掛け部分とたすきがけ紐部分を着脱可能にすることで、経済的なよだれかけの提供を目的としたものである。
【課題を解決するための手段】
【０００４】
すなわち、本考案は、上記目的を達成するため、よだれかけの本体紐（３）と本体（１）を取り外し可能な形状で、結着部（２）をスナップボタンとし、本体紐（3）をたすきがけで、装着できるよだれかけである。
又、結着部（２）をスナップボタンにすることで、薄手のペーパーを容易に挟み込むことができるよだれかけである。
又、本体紐（3）に結着部（２）のスナップボタンを増やすことで収縮性を持たせることにより、成長過程に合わせて利用することができるよだれかけである。
又、よだれかけの本体紐（３）と本体（１）を取り外し可能にすることで、よだれかけ部分のみを交換できる経済的なよだれかけである。
【考案の効果】
【０００５】
本考案の着脱式たすき型よだれかけによれば、乳幼児の体にフィットし、ずれをたすきがけにすることで軽減させ、よだれを肌や衣服に付着させず、清潔である。
又結着部（２）のスナップボタンの着脱により、着装は容易である。
又上部２箇所のスナップボタンへ、薄手のペーパー類を挟みこむことで、食事の時に使用すれば、前が広ければ食べこぼしても衣類を汚さない、時には口を拭くことも出来て便利である。
又よだれかけの本体（１）と本体紐（３）が切り離されていることで、本体（１）を複数枚用意すればよく、従来のたすきがけよだれかけより安価に製造できる。更に全体の構造が至って簡単であることから製造工程も少なく、安価に製造できて経済的である等の効果がある。
【考案を実施するための最良の形態】
【０００６】
以下、図面に示す実施例について更に詳細に説明する。 
【０００７】
図１は、本考案の第一実施例を示すもので、本体（１）は、前掛け部分として形成し、本体紐（３）は、たすきがけ可能としたやわらかい素材にした物とする。結着部（２）は、スナップボタンを使用し、取り外しが簡単なものとする。
【０００８】
「作用」
この考案は、上記手段を講じたので、常に活発に動く乳幼児であっても、よだれかけがずれることがなく、衣服をよごすことなく衛生的であり、着脱も結着部（２）の着脱だけで容易である。
又、結着部（２）が着脱できることで、寝ている乳幼児に容易に着装でき、結着部（２）のスナップボタンには薄手のペーパーを挟み込むことができることで、よだれかけを汚すことなく、食事の際などに汚れたペーパーを捨てるだけですみ、衛生的である。
又、本体紐（３）１組に対し、複数の本体（１）で利用することができ、経済的である。 
【図面の簡単な説明】
【０００９】
【図１】本考案の第一実施例を示す正面図である。
【図２】本考案の第一実施例を示す平面図である。
【図３】本考案の第一実施例を示す平面図である。
【符号の説明】
【００１０】
１ よだれかけの本体
２ 結着部
３ 本体紐